(57)【要約】      （修正有）【課題】簡略な構造でありながら短時間で、簡単、かつ衛生的に要介護者のおむつ交換と衣類の着脱など一連の作業を行うことができ、介護者の労力の負担及び要介護者の苦痛と苛立ち等を大幅に軽減することができ、また、要介護者の身体を微力で傾斜させて作業の効率を高めることが可能なおむつ交換支援器具を提供する。【解決手段】おむつ交換支援器具を構成する本体Ｍは、腰部との接触面１ａ２点に加わる体重を分散させるためには硬質で弾力性に富んだ一体で形成できる硬質ウレタン系の素材と曲面の円滑と強度を保つ素材との形成が必要不可欠なことであるが、それは軽量かつ弾性に富んだ素材を使用することが望ましく、高さ調節器具１ｂの上部あたりに位置する背骨への保護と接触を滑らかにすることを考えると、その立体形状は鞍形状、且つ楕円型の組み合わせが適当である。【選択図】図１
0003189961.tif 000002
【実用新案登録請求の範囲】
【請求項１】
ベット、布団等の敷体上部と要介護者の腰部との間に挿入する器具であって、臀部領域が敷体から浮上して左右方向に傾斜を可能とすることを特徴とするおむつ交換支援器具
【請求項２】
敷体上部と接する部分を曲面とすることを特徴とする請求項１のおむつ交換支援器具。
【請求項３】
敷体上部と接する部分を局面とし、この形状を弾性体と抗拡張材で形成することを特徴とする請求項１のおむつ交換支援器具。
【請求項４】
円環状の弾性体の径方向に高さ調整器具を設け、高さ調整器具で円環の径を調
整して鞍形状とすることを特徴とする請求項１のおむつ交換支援器具。
【請求項５】
敷体上部と接する鞍形状内面に沈み防止板を固定したことを特徴とする請求項１のおむつ交換支援器具。
【考案の詳細な説明】
【技術分野】
【０００１】
本考案は、おむつ交換器具に関するものであり、詳しくは、短時間で簡単、且つ、苦痛や苛立ちを抑えて衛生的におむつの交換と衣服の着脱作業を行うことができる新規で斬新なおむつ交換支援器具に関するものである。
【背景技術】
【０００２】
高齢化社会の拡大につれ、介護を必要とする老人の数は増加の一途をたどっており、施設や在宅における介護現場においても寝たきりの高齢者等のおむつ交換を必要とする要介護者の数もまた増加の傾向にある。このような寝たきりの高齢者等のおむつ交換作業は昔からあまり進歩はなく、介護者は慢性化した腰痛と労力と向かい合いながら従来通りの作業を余儀なくされ、要介護者の多くもその苦痛と羞恥に耐えてきたのが実情である。最近の傾向としては交換作業の改善を期待する介護者と、穏やかな作業を望む要介護者の数も増加の傾向にあり、様々な角度からの作業方法が考えられてはいるが、そのほとんどがおむつの素材などの開発などが多く、陰部の清浄や衣服の着脱という一連の作業にはあまり効果が見られず、労力の軽減を計るまでには至っていないのが現状である。
【０００３】
それには介護施設や事業所、在宅介護など介護の事情によっても大きく異なりを見せる。取り分け在宅での介護の場合、その家族環境によって要介護者は必要以上に遠慮をするなどの心身的な重圧に押し潰されるのが通常である。そのために苦情や要求などを口にすることも控え目となり、ひたすら介護者の作業に任せるのを余儀なくされているが、最近の傾向としては徐々ではあるが介護者と要介護者が思考を交わしながら作業の分担が行われるような傾向になっている。
【０００４】
例えば、おむつの交換の場合、要介護者はおむつを交換し易いように少しだけ体位の変換などを試みて介護者の作業を軽減する傾向もその一例ではあるが、それはまだ要介護者に体力的な余力が残っている場合のみに限られる。多くの介護者は身体的状況によってすべての作業を介護者に任せきりなのがほとんどであると言っても決して過言ではなく、相も変わらずに介護者に対する労力と苦痛は想像以上の現状である。そして、それが原因での悲惨な事故や事件などが跡を絶たないことも肝に銘じなければならない。それこそが高齢化社会に向けて早急に解決をしなければならない重要かつ、緊急な課題なのである。
【先行技術文献】
【特許文献】
【０００５】
【特許文献１】特開２００６−２９６５３９号公報
【考案の概要】
【考案が解決しようとする課題】
【０００６】
本考案は、被介護者に対しておむつ交換を行う介護者の労力と心身的な負担は想像以上に大きく、少しでもその軽減を図って介護の意識を向上するための要請に応えることを目的としている。同時に、要介護者にとっても長い時間と繰り返しの作業によって幾度もの不自由な身体を体位変換することによって苛立ちや苦痛を伴うことも少なくないのが現状の姿である。従来からおむつ交換は介護の中で最も大変な作業であることを意識していることは明らかなことであり、体位変換を和らげることで苛立ちや苦痛を軽減することこそ早急に解決して大幅な改革につなげることが緊急に要請されている。
【０００７】
また、発想の転換によって元来、介護者任せであったおむつ交換作業に要介護者も多少なりとも積極的に協力することができれば、現状の介護事情も大いに変わってくることも確かなことである。それを実行することによって介護者、要介護者の関係に信頼関係が生まれ、精神衛生状にも前向きとなり、最悪な悲惨な事件や事故などを回避することにも繋がるのである。
【０００８】
それは、おむつ交換の作業が容易に実施できるという限定的な問題ばかりではない。要介護者の多くは長年に渡って寝たっきりの状況であり、体力的にも減退が著しいことは事実である。とくに、床ずれ予防の問題と対策には様々な思考と実施が試みられてはきたが、その予防と治療に関してもいまだ解決には至っていない。介護の分野においても従来の技術を重んずるあまりに、斬新な技法を簡単に認めて取り入れることには頑なな考えと保守性が抜けきっていないことは明白であり、その考え方は介護保険法が制定れて施行された後にも、尚一層改革への道が閉ざされてしまったようであり誠に不幸なことである。
【０００９】
この問題と改革を解決に結びつけるにはそんなに想像を絶するような大事でもなく、ちいさな労力でも簡単に目的を達成することができる。そんな一つの安価で簡単な玩具のような器具であっても十分におむつ交換を可能とする優れ物である。それが本来の目的とするおむつ交換の実施のみではなく、床ずれ防止にも効果があるとしたら一石二鳥なのである。
【００１０】
以上のような事情は、施設や在宅などの介護現場における寝たきりの要介護者のおむつ交換の場合のみならず、様々な障害をもった対象者においても同様であると考えられる。本考案は、上述したような従来の切迫した事情と世論の要請などを鑑みて考案されたのであり、本体は簡略な構造と形状でありながら介護者は労力の軽減を図ることによって、短時間で容易におむつ交換を手早く行うことができ、要介護者は少しでも作業に協力しているという連帯感によって意識を高めることができることは今後の介護には不可欠な要素のひとつであり、床ずれ防止機能を兼ねた新規で斬新なおむつ交換支援器具を提供することを目的とする。
【課題を解決するための手段】
【００１１】
上記目的を達成するための請求項１記載の考案は、要介護者の腰部の付近に差し入れて使用するおむつ交換支援器具であって、要介護者の臀部領域を敷体から浮上させて身体の左右方向への傾斜を可能とすることを特徴とするものである。
【００１２】
上記目的を達成するための請求項２記載の考案は、要介護者の腰部の付近に差し入れて使用するおむつ交換支援器具であって、要介護者の身体を左右方向へ適当な角度で容易に傾斜させるために敷体上部との接触面を滑らかな曲面の形状に保つことを特徴とするものである。
【００１３】
上記目的を達成するための請求項３記載の考案は、要介護者の腰部の付近に差し入れて使用するおむつ交換支援器具であって、敷体上部と接する部分を局面として、この形状を弾性体と抗拡張材で形成することを特徴とするものである。
【００１４】
上記目的を達成するための請求項４記載の考案は、要介護者の腰部の付近に差し入れて使用するおむつ交換支援器具であって、弾性体の径方向に設けた高さ調整器具によって円環の径を調整して鞍形状とすることを特徴とするものである。
【００１５】
上記目的を達成するための請求項５記載の考案は、要介護者の腰部の付近に差し入れて使用するおむつ交換支援器具であって、敷体上部と接する鞍形状内面に沈み防止板を固定したことを特徴とするものである。
【考案の効果】
【００１６】
以上の説明から明らかなように本発明にあっては次に列挙する効果が得られる。
（１）請求項１記載のおむつ交換支援器具は、腰部の付近に差し入れて使用する器具であって、臀部領域から膝の付近までを敷体から浮上させることによって所定の空間を形成することが容易であり、おむつの交換とそれに関わる衣類の脱着等の一連の作業を行う場合、要介護者の身体を左右方向に傾斜させることが可能であることから介護者の作業効率を高め、要介護者の苛立ちと苦痛を軽減することができる。
【００１７】
（２）請求項２記載のおむつ交換支援器具は、腰部の付近に差し入れて使用する器具であって、敷体上部との接触部分が曲面であることから、交換作業中に要介護者の身体を簡単で円滑に左右に傾斜させることが容易なため、介護者の労力を軽減することができ、作業効率を高めることができる。
【００１８】
（３）請求項３記載のおむつ交換支援器具は、腰部の付近に差し入れて使用する器具であって、敷体上部との接触面を弾性体と抗拡張材で形成することによって器具の円滑化と強度を高めることができる。
【００１９】
（４）請求項４記載のおむつ交換支援器具は、腰部の付近に差し入れて使用する器具であって、円環状の弾性体の径方向に高さ調整器具を設けて調整することによって敷体上部と要介護者の臀部付近との空間を適当に保って効率的な交換作業を行うことができる。
【００２０】
（５）請求項５記載のおむつ交換支援器具は、腰部の付近に差し入れて使用する器具であって、敷体上部と接する鞍形状内面に沈み防止板を固定したこによって、弾力性の高い敷体内部に器具が沈下することを防止することができる。
【図面の簡単な説明】
【００２１】
【図１】本考案を実施するための最良の形態の平面図である。
【図２】本考案を実施するための最良の形態の正面図である。
【図３】本考案を実施するための最良の形態の側面図である。
【図４】本考案を実施するための最良の形態の平面図である。
【考案を実施するための形態】
【００２２】
以下、本考案をより詳細に記述するために、実施の形態を図に基づいて説明する。図１は本考案によるおむつ交換支援器具の平面図、図２は本考案によるおむつ交換支援器具の正面図、図３は本考案によるおむつ交換支援器具の側面図、図４は本考案によるおむつ交換支援器具の平面図を示す。
【実施例１】
【００２３】
前記のおむつ交換支援器具を構成するＭの本体は、繰り返しの作業による汚れを洗浄をして衛生的に保つ観点から水分や湿気を吸収することのない素材の使用が不可欠な要素であり、１ａに示す腰部との接触面２点に加わる体重を分散させるためには硬質で弾力性に富んだ一体で形成できる硬質ウレタン系の素材と曲面の円滑と強度を保つ素材との形成が必要不可欠なことであるが、それは軽量かつ弾性に富んだ素材を使用することが望ましく、１ｂに示す高さ調節器具の上部あたりに位置する背骨への保護と接触を滑らかにすることを考えると、その立体形状は鞍形状、且つ楕円型の組み合わせが適当である。
【実施例２】
【００２４】
Ｍ本体の大きさは成人男性の体格を基準としており、１ａに示す接触面の幅は被介護者が腰部、又は腸骨の付近に違和感を感じない程度が最良であり、被介護者に多少の体格差があったとしても十分に使用が可能であるゆとりが要求される。本体の平均値としては、１ａに示す腰部の接触面の幅は５ｃｍから７ｃｍ程度が望ましく、２面間の長さは２５ｃｍから２８ｃｍ程度が適当である。１ｂの高さ調節器具によってエアーマット等の敷体への沈み具合を考えて高さを約７ｃｍに設定した場合、縦方向の長さは約１８ｃｍ程度となるが、使用する敷体によって高さの数値を変更しても安定性を保ち、左右に傾斜可能の範囲で使用できることが本考案の目的であり必要な条件である。尚、交換作業による要介護者の臀部と敷体上部との必要な空間は介護者の手の平の厚み程度で十分であり、過度に空間を大きくする必要はなく、要介護者の状況によって判断されるべきである。
【００２５】
また、敷体との接触面である１ｃの形状を曲面とすることで要介護者の身体を左右に傾斜可能とすることが容易であるが、その角度は要介護者の身体的状況によって判断されるべきであり、必要以上に要介護者の体位を変換することは必要ではない。
【実施例３】
【００２６】
敷体の素材によっては曲面が滑らかに移動しない場合も考えられ、特にエアーマットのように空気圧で調整をする軟らかい敷体の上では曲面が沈むことが予想される。その場合には、Ｈで示す沈み防止板の中央２ａを１ｂの高さ調節器具の空間に固定して使用すれば敷体への器具の沈みが防止される。また、要介護者の腰部の付近と接する１ａの位置を移動することも考えられるが、薄い木板や５ｍｍ程度の硬質塩化ビニール板を敷体の上に設置することにより安易に解決される。
【００２７】
補足ではあるが、本体ＭとＨの素材について記述する。共に滑りにくい素材であること。そして湿気を含まないことが絶対条件である。なお、衛生的観点を考慮すると、清潔に保つことが可能な素材であることと、繰り返しの使用に耐え得ることが重要な要素でもある。また、上記で曲面の強度を主張したが、要介護者が弾性体のみで制作された器具で一連の作業が行えるほどの体重ならば強度を増す素材との形成は必要ではないが、人間の平均的な体重の場合、それは考えにくいことである。
【符号の説明】
【００２８】
Ｍ    おむつ交換支援器具の本体
１ａ  腰部との接触面
１ｂ  高さ調節器具
１ｃ  傾斜可能とする曲面
Ｈ    沈み防止板
２ａ  沈み防止板の固定位置
【図１】
0003189961.tif 000003
【図２】
0003189961.tif 000004
【図３】
0003189961.tif 000005
【図４】
0003189961.tif 000006
【手続補正書】
【提出日】平成26年2月12日(2014.2.12)
【手続補正１】
【補正対象書類名】実用新案登録請求の範囲
【補正対象項目名】全文
【補正方法】変更
【補正の内容】
【実用新案登録請求の範囲】
【請求項１】
ベット、布団等の敷体上部と要介護者の腰部との間に挿入するおむつ交換支援器具であって、円環状の弾性体の径方向に高さ調整器具を設け、前記高さ調整器具で円環の径を調整して鞍形状としたことを特徴とするおむつ交換支援器具。
【請求項２】
敷体上部と接する部分を曲面としたことを特徴とする請求項１のおむつ交換支援器具。
【請求項３】
敷体上部と接する部分を曲面とし、この形状を弾性体と抗拡張材で形成したことを特徴とする請求項１のおむつ交換支援器具。
【請求項４】
敷体上部と接する鞍形状内面に沈み防止板を固定したことを特徴とする請求項１のおむつ交換支援器具。